(57)【要約】      （修正有）【課題】従来よりもユーザーの利便性を損なうことなく原稿の取り忘れを効果的に防止する画像形成システムを提供する。【解決手段】投入された貨幣を受け入れるコインベンダーを有する画像形成システムであって、投入された貨幣と課金との差額を残金として計測する残金計測部と、ユーザーからサービスの実行指令を受け付ける操作部と、サービスの実行指令に基づき、原稿台に載置された原稿を読み取って画像データを生成する原稿読取部と、画像データに基づき形成した画像を出力する画像出力部と、原稿台に載置された原稿の有無を検知する原稿検知部とを備える。サービス開始前に残金の有無を判定して残金がない場合、原稿台から原稿が取り除かれたことを原稿検知部が検知するまでサービスに係る出力を実行せず、一方、残金がある場合、原稿台から原稿が取り除かれたか否かに関わらず、サービスに係る出力を実行する。【選択図】図６
2020065205.tif 000002
【特許請求の範囲】
【請求項１】
投入された貨幣を受け入れるコインベンダーを有する画像形成システムであって、
前記投入された貨幣と課金との差額を残金として計測する残金計測部と、
ユーザーからサービスの実行指令を受け付ける操作部と、
前記サービスの実行指令に基づき、前記原稿台に載置された原稿を読み取って画像データを生成する原稿読取部と、
前記画像データに基づき形成した画像を出力する画像出力部と、
前記原稿台に載置された原稿の有無を検知する原稿検知部とを備え、
サービス開始前に残金の有無を判定して残金がない場合、前記原稿台から原稿が取り除かれたことを前記原稿検知部が検知するまで前記サービスに係る出力を実行せず、
一方、残金がある場合、前記原稿台から原稿が取り除かれたか否かに関わらず、前記サービスに係る出力を実行することを特徴とする画像形成システム。
【請求項２】
投入された貨幣を受け入れるコインベンダーを有する画像形成システムであって、
前記投入された貨幣と課金との差額を残金として計測する残金計測部と、
前記残金の返金処理を実行する返金処理部と、
ユーザーからサービスの実行指令を受け付ける操作部と、
前記サービスの実行指令に基づき、前記原稿台に載置された原稿を読み取って画像データを生成する原稿読取部と、
前記画像データに基づき形成した画像を出力する画像出力部と、
前記原稿台に載置された原稿の有無を検知する原稿検知部とを備え、
サービスの終了時に前記コインベンダーに残金がない場合、前記サービスの終了処理を行い、
一方、サービスの終了時に前記コインベンダーに残金がある場合、前記原稿台から原稿が取り除かれたことを前記原稿検知部が検知するまで、前記返金処理部は返金処理を実行しないことを特徴とする画像形成システム。
【請求項３】
ユーザーからサービスの実行指令を受け付ける操作部と、
前記サービスの実行指令に基づき、前記原稿台に載置された原稿を読み取って画像データを生成する原稿読取部と、
前記画像データに基づき形成した画像を出力する画像出力部と、
前記原稿台に載置された原稿の有無を検知する原稿検知部と、
領収証を出力する領収証出力装置とを備え、
サービスの終了時に前記原稿台から原稿が取り除かれたことを前記原稿検知部が検知するまで、前記領収証出力装置は領収証を出力しないことを特徴とする画像形成システム。
【請求項４】
ユーザーからサービスの実行指令を受け付ける操作部と、
前記サービスの実行指令に基づき、前記原稿台に載置された原稿を読み取って画像データを生成する原稿読取部と、
前記画像データに基づき形成した画像を出力する画像出力部と、
前記原稿台に載置された原稿の有無を検知する原稿検知部と、
前記画像形成装置が読み取った原稿を予め定められたメディアに印刷する印刷装置とを備え、
サービスの終了時に前記原稿台から原稿が取り除かれたことを前記原稿検知部が検知するまで、前記印刷装置は、印刷を実行しないことを特徴とする画像形成システム。
【請求項５】
前記原稿検知部が原稿を検知した場合にユーザーに予め定められたメッセージを報知する報知部をさらに備えた請求項１〜４のいずれか１つに記載の画像形成システム。
【発明の詳細な説明】
【技術分野】
【０００１】
この発明は、画像形成システムに関し、より詳細には、コインベンダーおよび画像形成装置からなる画像形成システムに関する。
【背景技術】
【０００２】
従来、コンビニエンスストア内に設置されたデジタル複合機において、ユーザーがデジタル複合機を利用した後で、原稿を取り忘れてしまう問題が報告されている。
このような原稿の取り忘れを防止する方法としては、一般に、原稿の取り忘れを操作パネルに表示したり、音声で警告したりすることで、原稿台に原稿が残っていることを報知する技術が知られている。
【０００３】
また、コピー開始が指示された後、開閉検知手段によって原稿カバーの開閉が検知された場合に、原稿が取り除かれていると判断して、印刷処理を許可する印刷許可手段を設けたことを特徴とする画像処理装置の発明も提案されている（例えば、特許文献１を参照）。
【先行技術文献】
【特許文献】
【０００４】
【特許文献１】特開２０１１−１８２３２３号公報
【発明の概要】
【発明が解決しようとする課題】
【０００５】
しかしながら、原稿の取り忘れを操作パネルに表示する場合、コピーを終えた後で操作画面を見ないユーザーに気づかれないこともあり、また、音声で警告する場合であっても、騒音の激しい環境においては、やはりユーザーに気づかれないという問題がある。
【０００６】
また、原稿が取り除かれるまでコピーを開始しない方法の場合、ユーザーが同じ原稿のコピーを再度行う場合に原稿を取り除かなければならないため不便なだけでなく、ユーザーが再度原稿を置いた際に、原稿の位置が変わってしまうおそれもある。
【０００７】
この発明は、以上のような事情を考慮してなされたものであって、その目的は、従来よりもユーザーの利便性を損なうことなく、原稿の取り忘れを効果的に防止する画像形成システムを提供することにある。
【課題を解決するための手段】
【０００８】
（１）この発明は、投入された貨幣を受け入れるコインベンダーを有する画像形成システムであって、前記投入された貨幣と課金との差額を残金として計測する残金計測部と、ユーザーからサービスの実行指令を受け付ける操作部と、前記サービスの実行指令に基づき、前記原稿台に載置された原稿を読み取って画像データを生成する原稿読取部と、前記画像データに基づき形成した画像を出力する画像出力部と、前記原稿台に載置された原稿の有無を検知する原稿検知部とを備え、サービス開始前に残金の有無を判定して残金がない場合、前記原稿台から原稿が取り除かれたことを前記原稿検知部が検知するまで前記サービスに係る出力を実行せず、一方、残金がある場合、前記原稿台から原稿が取り除かれたか否かに関わらず、前記サービスに係る出力を実行することを特徴とする画像形成システムを提供するものである。
また、この発明は、投入された貨幣を受け入れるコインベンダーを有する画像形成システムであって、前記投入された貨幣と課金との差額を残金として計測する残金計測部と、前記残金の返金処理を実行する返金処理部と、ユーザーからサービスの実行指令を受け付ける操作部と、前記サービスの実行指令に基づき、前記原稿台に載置された原稿を読み取って画像データを生成する原稿読取部と、前記画像データに基づき形成した画像を出力する画像出力部と、前記原稿台に載置された原稿の有無を検知する原稿検知部とを備え、サービスの終了時に前記コインベンダーに残金がない場合、前記サービスの終了処理を行い、一方、サービスの終了時に前記コインベンダーに残金がある場合、前記原稿台から原稿が取り除かれたことを前記原稿検知部が検知するまで、前記返金処理部は返金処理を実行しないことを特徴とする画像形成システムを提供するものである。
また、この発明は、ユーザーからサービスの実行指令を受け付ける操作部と、前記サービスの実行指令に基づき、前記原稿台に載置された原稿を読み取って画像データを生成する原稿読取部と、前記画像データに基づき形成した画像を出力する画像出力部と、前記原稿台に載置された原稿の有無を検知する原稿検知部と、領収証を出力する領収証出力装置とを備え、サービスの終了時に前記原稿台から原稿が取り除かれたことを前記原稿検知部が検知するまで、前記領収証出力装置は領収証を出力しないことを特徴とする画像形成システムを提供するものである。
また、この発明は、ユーザーからサービスの実行指令を受け付ける操作部と、前記サービスの実行指令に基づき、前記原稿台に載置された原稿を読み取って画像データを生成する原稿読取部と、前記画像データに基づき形成した画像を出力する画像出力部と、前記原稿台に載置された原稿の有無を検知する原稿検知部と、前記画像形成装置が読み取った原稿を予め定められたメディアに印刷する印刷装置とを備え、サービスの終了時に前記原稿台から原稿が取り除かれたことを前記原稿検知部が検知するまで、前記印刷装置は、印刷を実行しないことを特徴とする画像形成システムを提供するものである。
【０００９】
この発明において、「画像形成システム」は、投入された貨幣を受け入れるコインベンダーを有し、トナーによる像形成に電子写真方式を用いるプリンタなどの複写（コピー機能）機能を有する複写機や複写以外の機能をも含むＭＦＰ（Multifunction Peripheral：多機能周辺装置）など、画像を形成して出力するシステムである。
「サービス」は、原稿台に載置された原稿を読み取って取得した画像データのスキャナ、印刷、コピーまたは送信等のサービスである。
「サービスに係る出力を実行する」は、前記画像データのスキャナ、印刷、コピーまたは送信等のジョブを実行することである。
「予め定められたメディア」は、例えば、通常の用紙とは異なる写真等のメディアである。
【００１０】
本発明の「残金計測部」は、ＣＰＵ１０によって実現される。また、本発明の「操作部」は、操作パネル１６によって実現される。また、本発明の「原稿検知部」は、原稿検知センサ１７によって実現される。また、本発明の「原稿読取部」は、スキャナ１１によって実現される。また、本発明の「画像出力部」は、画像形成部１２によって実現される。また、本発明の「原稿検知部」は、原稿検知センサ１７によって実現される。また、本発明の「返金処理部」は、返金ボタン２１およびＣＰＵ１０の協働によって実現される。また、本発明の「報知部」は、表示操作部１６１およびスピーカー１８によって実現される。
【発明の効果】
【００１１】
この発明によれば、従来よりもユーザーの利便性を損なうことなく、原稿の取り忘れを効果的に防止する画像形成装置を実現できる。
【００１２】
さらに、この発明の好ましい態様について説明する。
（２）この発明による画像形成システムにおいて、前記原稿検知部が原稿を検知した場合にユーザーに予め定められたメッセージを報知する報知部をさらに備えたものであってもよい。
【００１３】
このようにすれば、原稿検知部が原稿を検知した場合にユーザーに予め定められたメッセージを報知することにより、従来よりもユーザーの利便性を損なうことなく、原稿取り忘れを効果的に防止する画像形成システムが実現できる。
【図面の簡単な説明】
【００１４】
【図１】この発明の実施形態１に係る画像形成システムの外観を示す斜視図である。
【図２】図１のデジタル複合機の平面図である。
【図３】図１のデジタル複合機のパネルユニットを示す説明図である。
【図４】図１のデジタル複合機の概略構成を示すブロック図である。
【図５】図１のコインベンダーの外観の一部を示す斜視図である。
【図６】図１のデジタル複合機による原稿取り忘れ防止処理の概要を示すフローチャートである。
【図７】図１のデジタル複合機による原稿取り忘れ防止処理の概要を示すフローチャートである。
【図８】図１のデジタル複合機の表示操作部に表示された原稿回収を促すメッセージの一例を示す説明図である。
【図９】図１のデジタル複合機の表示操作部に表示された原稿回収を促すメッセージの一例を示す説明図である。
【図１０】実施形態２に係る画像形成システムの概略構成を示すブロック図である。
【図１１】図１０のデジタル複合機による原稿取り忘れ防止処理の概要を示すフローチャートである。
【図１２】図１０のデジタル複合機の表示操作部に表示された原稿回収を促すメッセージの一例を示す説明図である。
【図１３】実施形態３に係る画像形成システムの概略構成を示すブロック図である。
【図１４】図１３のデジタル複合機による原稿取り忘れ防止処理の概要を示すフローチャートである。
【図１５】図１３のデジタル複合機の表示操作部に表示された原稿回収を促すメッセージの一例を示す説明図である。
【図１６】実施形態４に係る画像形成装置による原稿取り忘れ防止処理の概要を示すフローチャートである。
【図１７】実施形態４に係る画像形成装置による原稿取り忘れ防止処理の概要を示すフローチャートである。
【発明を実施するための形態】
【００１５】
以下、図面を用いてこの発明をさらに詳述する。なお、以下の説明は、すべての点で例示であって、この発明を限定するものと解されるべきではない。
【００１６】
〔実施形態１〕
＜画像形成システム１００の概略構成＞
図１〜図４に基づき、この発明の実施形態１に係る画像形成システム１００について説明する。
図１は、この発明の実施形態１に係る画像形成システム１００の外観を示す斜視図である。図２は、図１のデジタル複合機１の平面図である。図３は、図１のデジタル複合機１の操作パネル１６を示す説明図である。図４は、図１のデジタル複合機１の概略構成を示すブロック図である。図５は、図１のコインベンダー２の外観の一部を示す説明図である。
【００１７】
図１に示すように、この発明の実施形態１に係る画像形成システム１００は、デジタル複合機１およびコインベンダー２からなる。
【００１８】
デジタル複合機１は、画像データをデジタル処理し、複写機能やスキャナ機能、ファクシミリ機能を有するＭＦＰ（Multifunction Peripheral：多機能周辺装置）などの装置である。
【００１９】
デジタル複合機１は、表示操作部１６１や物理操作部１６２を介して受付けたユーザーからの指示に基づき、スキャナ、印刷、コピーまたは画像送信等のジョブを実行する。
【００２０】
コインベンダー２は、貨幣すなわち硬貨または紙幣を投入し、印刷ジョブ数や用紙サイズ等に応じて課金を行う装置である。
図５に示すように、コインベンダー２は、筐体２０、返金ボタン２１、コイン投入口２２および表示パネル２３を備える。
なお、本発明は、貨幣を投入する装置に限定されない。
例えば、所定のカードや電子マネーを利用する装置であってもよい。
【００２１】
表示パネル２３は、エラーや釣銭切れなどの状態を表示ランプにて表示し、また残り金額などをユーザーに表示するパネルである。
【００２２】
次に、図４に基づき、デジタル複合機１の概略構成を説明する。
図４に示すように、デジタル複合機１は、ＣＰＵ１０、スキャナ１１、画像形成部１２、メモリ１３、画像処理部１４、用紙搬送部１５、操作パネル１６、原稿検知センサ１７およびスピーカー１８を備える。
【００２３】
以下、デジタル複合機１の各構成要素を説明する。
【００２４】
ＣＰＵ１０は、デジタル複合機１を統合的に制御するものであって、ＣＰＵ、ＲＡＭ、ＲＯＭ、各種のインターフェース回路等からなる。
ＣＰＵ１０は、デジタル複合機１全体の動作をコントロールするために、各センサの検知、モーター、クラッチ、操作パネル１６等、あらゆる負荷の監視・制御を行う。
【００２５】
スキャナ１１は、原稿台に置かれた原稿を検知して読み取り、画像データを生成する部分である。
【００２６】
画像形成部１２は、スキャナ１１によって取得された画像データに基づき、用紙上に画像を形成して出力する部分であり、出力制御部１２０、現像部１２１、転写部１２２および定着部１２３を備える。
【００２７】
出力制御部１２０は、現像部１２１、転写部１２２および定着部１２３を制御して、コピー等の出力制御を行う部分である。
【００２８】
現像部１２１は、帯電器により所定の電位に帯電した感光体ドラム上に形成された静電潜像にトナーを供給して顕像化する部分である。
【００２９】
転写部１２２は、感光体ドラム表面に形成されたトナー像を用紙搬送部１５によって搬送された用紙上に転写する部分である。
【００３０】
定着部１２３は、転写部１２２により画像が転写された用紙を加圧・加熱により定着する部分である。
【００３１】
メモリ１３は、デジタル複合機１の各種機能を実現するために必要な情報や、制御プログラムなどを記憶する素子や記憶媒体である。例えば、ＲＡＭやＲＯＭ等の半導体素子、ハードディスク、フラッシュ記憶部、ＳＳＤ等の記憶媒体が用いられる。
なお、データを保持する領域がハードディスクドライブで、プログラムを保持する領域がフラッシュ記憶部で構成するといったように、プログラムとデータが異なる装置に保持されてもよい。
【００３２】
画像処理部１４は、スキャナ１１によって読み取られた原稿画像を適正な電気信号に変換して画像データを生成し、スキャナ１１から入力された画像データを表示操作部１６１からの指令に従い、拡大・縮小等の出力に適するように処理を行う部分である。
【００３３】
用紙搬送部１５は、給紙カセットおよび手差トレイに格納された用紙を、所定の搬送路を経由して画像形成部１２まで搬送する部分である。また、画像形成部１２によって画像が形成された用紙を、所定の搬送路を経由して排紙トレイに排出する部分である。
【００３４】
操作パネル１６は、液晶ディスプレイ（Liquid Crystal Display）を備えたユニットであり、表示操作部１６１および物理操作部１６２を備える。
【００３５】
表示操作部１６１は、各種情報の表示を行う部分である。表示操作部１６１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。ＣＰＵ１０は、表示操作部１６１を通じて、デジタル複合機１の動作および状態の表示を行う。
また、表示操作部１６１は、タッチパネルを備え、ユーザーからの指令を受け付ける部分でもある。
【００３６】
物理操作部１６２は、ＯＫキーおよび電源キーを備える。
【００３７】
原稿検知センサ１７は、原稿台に設置された原稿の有無を検知するセンサである。
【００３８】
スピーカー１８は、予め定められたメッセージや警告音などをユーザーに音声出力する。
【００３９】
＜この発明の実施形態１に係るデジタル複合機１の原稿取り忘れ防止処理の一例＞
続いて、図６〜図９に基づき、この発明の実施形態１に係るデジタル複合機１の原稿取り忘れ防止処理の一例について説明する。
図６および図７は、図１のデジタル複合機１による原稿取り忘れ防止処理の概要を示すフローチャートである。
図８および図９は、図１のデジタル複合機１の表示操作部１６１に表示された原稿回収を促すメッセージの一例を示す説明図である。
【００４０】
図６において、コピーの開始指示を受け付けた後、ステップＳ１において、ＣＰＵ１０は、スキャナ１１に原稿台に設置された原稿を読み取らせる（ステップＳ１）。
【００４１】
続いて、ステップＳ２において、ＣＰＵ１０は、コインベンダー２から投入された金額から実行したコピージョブに応じた金額を差し引いた残金を計算する（ステップＳ２）。
【００４２】
次に、ＣＰＵ１０は、ステップＳ３において、残金があるか否かを判定する（ステップＳ３）。
【００４３】
残金がある場合（ステップＳ３の判定がＹｅｓの場合）、ＣＰＵ１０は、図７のステップＳ９の処理を行う（ステップＳ９）。
一方、残金がない場合（ステップＳ３の判定がＮｏの場合）、ＣＰＵ１０は、ステップＳ４において、原稿検知センサ１７の検知結果に基づき、原稿台に原稿が残っているか否かを判定する（ステップＳ４）。
【００４４】
原稿台に原稿が残っている場合（ステップＳ４の判定がＹｅｓの場合）、ＣＰＵ１０は、ステップＳ５において、原稿の回収を促すメッセージを表示操作部１６１に表示させる（ステップＳ５）。
その後、ＣＰＵ１０は、ステップＳ４の判定を繰り返す（ステップＳ４）。
【００４５】
具体的には、図８の例に示すように、表示操作部１６１は、「原稿を取り除いてください。原稿を取り除いた後にコピー出力を開始します」というメッセージを表示する。
【００４６】
一方、ステップＳ４において、原稿台に原稿が残っていない場合（ステップＳ４の判定がＮｏの場合）、ＣＰＵ１０は、ステップＳ６において、表示操作部１６１に表示させていた原稿の回収を促すメッセージを消す（ステップＳ６）。
その後、ＣＰＵ１０は、ステップＳ７の処理を行う（ステップＳ７）。
【００４７】
なお、原稿の回収を促すメッセージを表示操作部１６１に表示させていない場合は、ＣＰＵ１０は、ステップＳ６の処理をとばしてステップＳ７の処理を行う（ステップＳ７）。
【００４８】
次に、ＣＰＵ１０は、ステップＳ７において、コピー出力を開始する（ステップＳ７）。
【００４９】
続いて、ＣＰＵ１０は、ステップＳ８において、コピー出力が完了したか否かを判定する（ステップＳ８）。
コピー出力が完了した場合（ステップＳ８の判定がＹｅｓの場合）、ＣＰＵ１０は、コピーサービスを終了する。
一方、コピー出力が完了していない場合（ステップＳ８の判定がＮｏの場合）、ＣＰＵ１０は、ステップＳ８の判定を繰り返す（ステップＳ８）。
【００５０】
次に、図７のステップＳ９において、ＣＰＵ１０は、コピー出力を開始する（ステップＳ９）。
【００５１】
続いて、ステップＳ１０において、ＣＰＵ１０は、コピー出力が完了したか否かを判定する（ステップＳ１０）。
コピー出力が完了した場合（ステップＳ１０の判定がＹｅｓの場合）、ＣＰＵ１０は、ステップＳ１１の判定を行う（ステップＳ１１）。
一方、コピー出力が完了していない場合（ステップＳ１０の判定がＮｏの場合）、ＣＰＵ１０は、ステップＳ１０の判定を繰り返す（ステップＳ１０）。
【００５２】
次に、ステップＳ１１において、ＣＰＵ１０は、返金の指示を受け付けたか否かを判定する（ステップＳ１１）。
【００５３】
具体的には、ＣＰＵ１０は、表示操作部１６１から返金の指示を受け付けるか、あるいは、図５に示すように、返金ボタン２１の押下を検知したときに、返金の指示を受け付けたものと判定する。
【００５４】
返金の指示を受け付けた場合（ステップＳ１１の判定がＹｅｓの場合）、ＣＰＵ１０は、ステップＳ１２の判定を行う（ステップＳ１２）。
一方、返金の指示を受け付けていない場合（ステップＳ１１の判定がＮｏの場合）、ＣＰＵ１０は、ステップＳ１３の判定を行う（ステップＳ１３）。
【００５５】
次に、ステップＳ１２において、ＣＰＵ１０は、原稿検知センサ１７の検知結果に基づき、原稿台に原稿が残っているか否かを判定する（ステップＳ１２）。
【００５６】
原稿台に原稿が残っている場合（ステップＳ１２の判定がＹｅｓの場合）、ＣＰＵ１０は、ステップＳ１４において、原稿の回収を促すメッセージを表示操作部１６１に表示させる（ステップＳ１４）。
その後、ＣＰＵ１０は、ステップＳ１２の判定を繰り返す（ステップＳ１２）。
【００５７】
具体的には、図９の例に示すように、表示操作部１６１は、「原稿を取り除いてください。原稿を取り除いた後に返金します。」というメッセージを表示する。
【００５８】
一方、ステップＳ１２において、原稿台に原稿が残っていない場合（ステップＳ１２の判定がＮｏの場合）、ＣＰＵ１０は、ステップＳ１５において、表示操作部１６１に表示させていた原稿の回収を促すメッセージを消す（ステップＳ１５）。
その後、ＣＰＵ１０は、ステップＳ１６の処理を行う（ステップＳ１６）。
【００５９】
なお、原稿の回収を促すメッセージを表示操作部１６１に表示させていない場合は、ＣＰＵ１０は、ステップＳ１５の処理をとばしてステップＳ１６の処理を行う（ステップＳ１６）。
【００６０】
次に、ステップＳ１６において、ＣＰＵ１０は、コインベンダー２に返金処理を開始させる（ステップＳ１６）。
【００６１】
続いて、ステップＳ１７において、ＣＰＵ１０は、返金処理が終了したか否かを判定する（ステップＳ１７）。
返金処理が終了した場合（ステップＳ１７の判定がＹｅｓの場合）、ＣＰＵ１０は、コピーサービスを終了する。
一方、返金処理が終了していない場合（ステップＳ１７の判定がＮｏの場合）、ＣＰＵ１０は、ステップＳ１７の判定を繰り返す（ステップＳ１７）。
【００６２】
次に、ステップＳ１３において、ＣＰＵ１０は、表示操作部１６１から次のコピー開始指示を受け付けたか否かを判定する（ステップＳ１３）。
次のコピー開始指示を受け付けた場合（ステップＳ１３の判定がＹｅｓの場合）、ＣＰＵ１０は、図６のステップＳ１の処理を繰り返す（ステップＳ１）。
次のコピー開始指示を受け付けていない場合（ステップＳ１３の判定がＮｏの場合）、ＣＰＵ１０は、ステップＳ１１の判定を行う（ステップＳ１１）。
【００６３】
このように、残金がない場合は、コピー１回だけで終了することが想定されるため、原稿が取り除かれたことを検知するまではコピー出力を開始させない。
一方、残金がある場合は、再度同じ原稿のコピーを行うことが想定されるため、原稿が取り除かれたことを検知しなくてもコピー出力を開始するが、コピー終了後に返金ボタンを押した際に、原稿が取り除かれたことを検知するまでは返金処理を開始しない。
【００６４】
このようにすることで、コピー１回だけで終了するユーザーにとっても、同じ原稿を何度もコピーするユーザーにとっても利便性が高く、かつ、原稿取り忘れ防止を強く促すことができる画像形成システム１００が実現できる。
【００６５】
（実施形態２）
次に、図１０〜図１２に基づき、この発明の実施形態２に係る画像形成システム１００について説明する。
図１０は、実施形態２に係る画像形成システム１００の概略構成を示すブロック図である。また、図１１は、図１０のデジタル複合機１による原稿取り忘れ防止処理の概要を示すフローチャートである。また、図１２は、図１０のデジタル複合機１の表示操作部１６１に表示された原稿回収を促すメッセージの一例を示す説明図である。
【００６６】
図１０に示すように、実施形態２に係る画像形成システム１００は、領収証を印刷する領収証プリンタ３をさらに備える。
ユーザーが表示操作部１６１により領収証の印刷を指示した場合、ＣＰＵ１０は、図１１の手順に従って、原稿取り忘れ防止処理を行う。
【００６７】
図１１において、コピーの開始指示を受け付けた後、ステップＳ２１において、ＣＰＵ１０は、スキャナ１１に原稿台に設置された原稿を読み取らせる（ステップＳ２１）。
【００６８】
続いて、ステップＳ２２において、ＣＰＵ１０は、コピー出力を開始する（ステップＳ２２）。
【００６９】
次に、ステップＳ２３において、ＣＰＵ１０は、コピー出力が完了したか否かを判定する（ステップＳ２３）。
コピー出力が完了した場合（ステップＳ２３の判定がＹｅｓの場合）、ＣＰＵ１０は、ステップＳ２４の判定を行う（ステップＳ２４）。
一方、コピー出力が完了していない場合（ステップＳ２３の判定がＮｏの場合）、ＣＰＵ１０は、ステップＳ２３の判定を繰り返す（ステップＳ２３）。
【００７０】
次に、ステップＳ２４において、ＣＰＵ１０は、コピーサービスを終了すべきか否かを判定する（ステップＳ２４）。
【００７１】
具体的には、ＣＰＵ１０は、コピー出力を完了した後、予め定められた時間、表示操作部１６１が次のコピー開始指示を受け付けなかったときか、あるいは、表示操作部１６１からコピーサービスの終了指示を受け付けたときに、コピーサービスを終了すべきであると判定する。
【００７２】
コピーサービスを終了すべき場合（ステップＳ２４の判定がＹｅｓの場合）、ＣＰＵ１０は、ステップＳ２５の判定を行う（ステップＳ２５）。
一方、コピーサービスを終了すべきでない場合（ステップＳ２４の判定がＮｏの場合）、ＣＰＵ１０は、ステップＳ２１の処理を繰り返す（ステップＳ２１）。
【００７３】
次に、ステップＳ２５において、ＣＰＵ１０は、原稿検知センサ１７の検知結果に基づき、原稿台に原稿が残っているか否かを判定する（ステップＳ２５）。
【００７４】
原稿台に原稿が残っている場合（ステップＳ２５の判定がＹｅｓの場合）、ＣＰＵ１０は、ステップＳ２６において、原稿の回収を促すメッセージを表示操作部１６１に表示させる（ステップＳ２６）。
その後、ＣＰＵ１０は、ステップＳ２５の判定を繰り返す（ステップＳ２５）。
【００７５】
具体的には、図１２の例に示すように、表示操作部１６１は、「原稿を取り除いてください。原稿を取り除いた後に領収証を出力します。」というメッセージを表示する。
【００７６】
一方、ステップＳ２５において、原稿台に原稿が残っていない場合（ステップＳ２５の判定がＮｏの場合）、ＣＰＵ１０は、ステップＳ２７において、表示操作部１６１に表示させていた原稿の回収を促すメッセージを消す（ステップＳ２７）。
その後、ＣＰＵ１０は、ステップＳ２８の処理を行う（ステップＳ２８）。
【００７７】
なお、原稿の回収を促すメッセージを表示操作部１６１に表示させていない場合は、ＣＰＵ１０は、ステップＳ２７の処理をとばしてステップＳ２９の判定を行う（ステップＳ２９）。
【００７８】
次に、ステップＳ２８において、ＣＰＵ１０は、領収証プリンタ３に領収証の出力処理を開始させる（ステップＳ２８）。
【００７９】
続いて、ステップＳ２９において、ＣＰＵ１０は、領収証の出力処理が完了したか否かを判定する（ステップＳ２９）。
領収証の出力処理が完了した場合（ステップＳ２９の判定がＹｅｓの場合）、ＣＰＵ１０は、コピーサービスを終了する。
一方、領収証の出力処理が完了していない場合（ステップＳ２９の判定がＮｏの場合）、ＣＰＵ１０は、ステップＳ２９の判定を繰り返す（ステップＳ２９）。
【００８０】
このように、領収証を望むユーザーに対し、原稿が取り除かれたことを検知するまで領収証の出力処理を開始しないことにより、従来よりも原稿取り忘れを効果的に防止する画像形成システム１００が実現できる。
【００８１】
（実施形態３）
次に、図１３〜図１５に基づき、この発明の実施形態３に係る画像形成システム１００について説明する。
図１３は、実施形態３に係る画像形成システム１００の概略構成を示すブロック図である。また、図１４は、図１３のデジタル複合機１による原稿取り忘れ防止処理の概要を示すフローチャートである。また、図１５は、図１３のデジタル複合機１の表示操作部１６１に表示された原稿回収を促すメッセージの一例を示す説明図である。
【００８２】
図１３に示すように、実施形態３に係る画像形成システム１００は、銀塩写真用の用紙に似た光沢のある厚紙など、通常の用紙とは異なるメディアに印刷できる昇華型プリンタ４をさらに備える。
ユーザーが表示操作部１６１により昇華型プリンタ４を用いた印刷を指示した場合、ＣＰＵ１０は、図１４の手順に従って、原稿取り忘れ防止処理を行う。
【００８３】
図１４において、コピーの開始指示を受け付けた後、ステップＳ３１において、ＣＰＵ１０は、スキャナ１１に原稿台に設置された原稿を読み取らせる（ステップＳ３１）。
【００８４】
続いて、ステップＳ３２において、ＣＰＵ１０は、原稿検知センサ１７の検知結果に基づき、原稿台に原稿が残っているか否かを判定する（ステップＳ３２）。
【００８５】
原稿台に原稿が残っている場合（ステップＳ３２の判定がＹｅｓの場合）、ＣＰＵ１０は、ステップＳ３３において、原稿の回収を促すメッセージを表示操作部１６１に表示させる（ステップＳ３３）。
その後、ＣＰＵ１０は、ステップＳ３２の判定を繰り返す（ステップＳ３２）。
【００８６】
具体的には、図１５の例に示すように、表示操作部１６１は、「原稿を取り除いてください。原稿を取り除いた後に昇華型プリンタから出力します。」というメッセージを表示する。
【００８７】
一方、ステップＳ３２において、原稿台に原稿が残っていない場合（ステップＳ３２の判定がＮｏの場合）、ＣＰＵ１０は、ステップＳ３４において、表示操作部１６１に表示させていた原稿の回収を促すメッセージを消す（ステップＳ３４）。
その後、ＣＰＵ１０は、ステップＳ３５の処理を行う（ステップＳ３５）。
【００８８】
なお、原稿の回収を促すメッセージを表示操作部１６１に表示させていない場合は、ＣＰＵ１０は、ステップＳ３５の処理をとばしてステップＳ３６の判定を行う（ステップＳ３６）。
【００８９】
次に、ステップＳ３５において、ＣＰＵ１０は、昇華型プリンタ４の出力処理を開始させる（ステップＳ３５）。
【００９０】
続いて、ステップＳ３６において、ＣＰＵ１０は、昇華型プリンタ４の出力処理が完了したか否かを判定する（ステップＳ３６）。
昇華型プリンタ４の出力処理が完了した場合（ステップＳ３６の判定がＹｅｓの場合）、ＣＰＵ１０は、コピーサービスを終了する。
一方、昇華型プリンタ４の出力処理が完了していない場合（ステップＳ３６の判定がＮｏの場合）、ＣＰＵ１０は、ステップＳ３６の判定を繰り返す（ステップＳ３６）。
【００９１】
このように、昇華型プリンタ４の利用を望むユーザーに対し、原稿が取り除かれたことを検知するまで昇華型プリンタ４の出力処理を開始しないことにより、従来よりもユーザーの利便性を損なうことなく、原稿取り忘れを効果的に防止する画像形成システム１００が実現できる。
【００９２】
（実施形態４）
次に、図１６および図１７に基づき、この発明の実施形態４に係る画像形成システム１００について説明する。
図１６および図１７は、実施形態４に係るデジタル複合機１による原稿取り忘れ防止処理の概要を示すフローチャートである。
【００９３】
なお、図１６のステップＳ４１〜Ｓ４６はそれぞれ図６のステップＳ１〜Ｓ６に対応し、図１７のステップＳ５１〜Ｓ５５はそれぞれ図７のステップＳ１１〜Ｓ１５に対応するため、説明を省略する。
ここでは、図１６のステップＳ４７およびＳ４８、図１７のステップＳ４９およびＳ５０の処理について説明する。
【００９４】
実施形態４のデジタル複合機１は、実施形態３の図１３の画像形成システム１００と同じく、昇華型プリンタ４を備えた構成を有するものとする。
【００９５】
図１６のステップＳ４６において、表示操作部１６１に表示させていた原稿の回収を促すメッセージを消した後（ステップＳ４６の判定がＹｅｓの場合）、ＣＰＵ１０は、続くステップＳ４７において、昇華型プリンタ４の出力を開始する（ステップＳ４７）。
【００９６】
続いて、ＣＰＵ１０は、ステップＳ４８において、昇華型プリンタ４の出力が完了したか否かを判定する（ステップＳ８）。
昇華型プリンタ４の出力が完了した場合（ステップＳ４８の判定がＹｅｓの場合）、ＣＰＵ１０は、コピーサービスを終了する。
一方、昇華型プリンタ４の出力が完了していない場合（ステップＳ４８の判定がＮｏの場合）、ＣＰＵ１０は、ステップＳ４８の判定を繰り返す（ステップＳ４８）。
【００９７】
次に、図１７のステップＳ４９において、ＣＰＵ１０は、昇華型プリンタ４の出力を開始する（ステップＳ４９）。
【００９８】
続いて、ステップＳ５０において、ＣＰＵ１０は、昇華型プリンタ４の出力が完了したか否かを判定する（ステップＳ５０）。
昇華型プリンタ４の出力が完了した場合（ステップＳ５０の判定がＹｅｓの場合）、ＣＰＵ１０は、ステップＳ５１の判定を行う（ステップＳ５１）。
一方、昇華型プリンタ４の出力が完了していない場合（ステップＳ５０の判定がＮｏの場合）、ＣＰＵ１０は、ステップＳ５０の判定を繰り返す（ステップＳ５０）。
【００９９】
また、ステップＳ５５において、ＣＰＵ１０は、表示操作部１６１に表示させていた原稿の回収を促すメッセージを消した後（ステップＳ１５）、コピーサービスを終了する。
【０１００】
このように、昇華型プリンタ４の利用を望むユーザーに対し、原稿が取り除かれたことを検知するまで昇華型プリンタ４の出力処理を開始せず、また、残金がある場合は、原稿が取り除かれたことを検知するまでは返金処理を開始しないことにより、従来よりも原稿取り忘れを効果的に防止する画像形成システム１００が実現できる。
【０１０１】
この発明の好ましい態様は、上述した複数の態様のうちの何れかを組み合わせたものも含む。
前述した実施形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１０２】
１：デジタル複合機、    ２：コインベンダー、    ３：領収証プリンタ、    ４：昇華型プリンタ、    １０：ＣＰＵ、    １１：スキャナ、    １２：画像形成部、    １３：メモリ、    １４：画像処理部、    １５：用紙搬送部、    １６：操作パネル、    １７：原稿検知センサ、    １８：スピーカー、    １９：領収証プリンタ、    ２０：筐体、    ２１：返金ボタン、    ２２：コイン投入口、    ２３：表示パネル、    １００：画像形成システム、    １２０：出力制御部、    １２１：現像部、    １２２：転写部、    １２３：定着部、    １６１：表示操作部、    １６２：物理操作部
【図１】
2020065205.tif 000003
【図２】
2020065205.tif 000004
【図３】
2020065205.tif 000005
【図４】
2020065205.tif 000006
【図５】
2020065205.tif 000007
【図６】
2020065205.tif 000008
【図７】
2020065205.tif 000009
【図８】
2020065205.tif 000010
【図９】
2020065205.tif 000011
【図１０】
2020065205.tif 000012
【図１１】
2020065205.tif 000013
【図１２】
2020065205.tif 000014
【図１３】
2020065205.tif 000015
【図１４】
2020065205.tif 000016
【図１５】
2020065205.tif 000017
【図１６】
2020065205.tif 000018
【図１７】
2020065205.tif 000019